(57)【要約】【課題】ノズルと流量センサを繋ぐパイプ部材の内部に屑が侵入したとしても、パイプ部材が屑で詰まることを防止し、パイプ部材の詰まりによる検出精度の低下を回避する。【解決手段】脱穀装置１内の所定箇所における風速、風量及び／又は風圧を、前記所定箇所に配置したノズル７２とパイプ部材７３を介して連通される流量センサ７４で検出する風検出装置７１を備えた脱穀装置１において、パイプ部材７３の中間部に、ノズル７２と流量センサ７４を繋ぐパイプ経路から突出して屑溜まりとなる屑溜まり部７３ａを設ける。【選択図】図４
2012200192.tif 000002
【特許請求の範囲】
【請求項１】
脱穀装置内の所定箇所における風速、風量及び／又は風圧を、前記所定箇所に配置したノズルとパイプ部材を介して連通される流量センサで検出する風検出装置を備えた脱穀装置において、
前記パイプ部材の中間部に、ノズルと流量センサを繋ぐパイプ経路から突出して屑溜まりとなる屑溜まり部を設けたことを特徴とする脱穀装置の風検出装置。
【請求項２】
前記ノズルから屑溜まり部に至るパイプ経路を下り傾斜状又は垂下状に配置したことを特徴とする請求項１記載の脱穀装置の風検出装置。
【請求項３】
前記流量センサから屑溜まり部に至るパイプ経路を下り傾斜状又は垂下状に配置したことを特徴とする請求項１又は２記載の脱穀装置の風検出装置。
【請求項４】
前記屑溜まり部に、屑溜まり部内に溜った屑を取出すための屑取出口を形成すると共に、該屑取出口を開閉自在に覆う蓋部材を設けたことを特徴とする請求項１〜３のいずれか一項に記載の脱穀装置の風検出装置。
【発明の詳細な説明】
【技術分野】
【０００１】
本発明は、コンバインなどの脱穀装置の風検出装置に関する。
【背景技術】
【０００２】
コンバインなどの脱穀装置のなかには、脱穀装置内の所定箇所における風速、風量及び／又は風圧を検出する風検出装置を備えるものがある。例えば、特許文献１〜４に示される脱穀装置は、脱穀装置内の所定箇所における風速を検出するにあたり、風速に基づく風量変化を、前記所定箇所に配置したノズルとパイプ部材を介して連通される流量センサで検出するように構成されている。そして、風検出装置の検出値は、脱穀装置内における穀粒量と所定の関係を示すことから、特許文献１〜４の脱穀装置では、風検出装置の検出値に応じて、チャフシーブのフィン開度を自動的に制御するように構成されている。
【先行技術文献】
【特許文献】
【０００３】
【特許文献１】特開２０００−１６６３７０号公報
【特許文献２】特開２００３−１８９０８号公報
【特許文献３】特開２００３−２６６０２０号公報
【特許文献４】特開２００６−２４６７８３号公報
【発明の概要】
【発明が解決しようとする課題】
【０００４】
しかしながら、上記のような風検出装置では、ノズル側や流量センサ側（負圧による風量検出の場合）からパイプ部材の内部に屑が侵入する惧れがあるので、パイプ部材の一部が屑で詰まり、正常な検出処理が困難になるという不具合が生じる可能性があった。
【課題を解決するための手段】
【０００５】
本発明は、上記の如き実情に鑑みこれらの課題を解決することを目的として創作されたものであって、脱穀装置内の所定箇所における風速、風量及び／又は風圧を、前記所定箇所に配置したノズルとパイプ部材を介して連通される流量センサで検出する風検出装置を備えた脱穀装置において、前記パイプ部材の中間部に、ノズルと流量センサを繋ぐパイプ経路から突出して屑溜まりとなる屑溜まり部を設けたことを特徴とする。
また、前記ノズルから屑溜まり部に至るパイプ経路を下り傾斜状又は垂下状に配置したことを特徴とする。
また、前記流量センサから屑溜まり部に至るパイプ経路を下り傾斜状又は垂下状に配置したことを特徴とする。
また、前記屑溜まり部に、屑溜まり部内に溜った屑を取出すための屑取出口を形成すると共に、該屑取出口を開閉自在に覆う蓋部材を設けたことを特徴とする。
【発明の効果】
【０００６】
請求項１の発明によれば、ノズルと流量センサを繋ぐパイプ部材の内部に屑が侵入したとしても、侵入した屑が屑溜まり部に溜まるので、パイプ部材が屑で詰まることを防止し、パイプ部材の詰まりによる検出精度の低下を回避できる。
また、請求項２の発明によれば、ノズルから屑溜まり部に至るパイプ経路内の屑を屑溜まり部に積極的に導くことができる。
また、請求項３の発明によれば、流量センサから屑溜まり部に至るパイプ経路内の屑を屑溜まり部に積極的に導くことができる。
また、請求項４の発明によれば、屑溜まり部に溜った屑を屑取出口を介して取出すことができる。
【図面の簡単な説明】
【０００７】
【図１】脱穀装置の側断面図である。
【図２】脱穀装置の正断面図である。
【図３】風検出装置の側面図である。
【図４】風検出装置の作用説明図である。
【図５】風検出装置の他例を示す側面図である。
【発明を実施するための形態】
【０００８】
以下、本発明の実施の形態について、図面に基づいて説明する。図１及び図２において、１はコンバインなどに搭載される脱穀装置であって、該脱穀装置１は、脱穀部１１と、該脱穀部１１の下方に配置される選別部３１とを備えて構成されている。脱穀部１１は、穀稈を挟持搬送するフィードチェーン１２の搬送経路に沿って配置された第１扱室１３と第２扱室１５内に、それぞれ第１扱胴１６と第２扱胴１７が配置されている。
【０００９】
前記第１扱室１３の下部には、第１扱胴１６により穀稈から扱ぎ落とされた被処理物を漏下させる受網１８が配置され、第２扱室１５の四番口２０の下方には、第２扱胴１７によって穀稈から扱ぎ落とされた被処理物を漏下させる受網２１が配置されている。
【００１０】
なお、フィードチェーン１２の搬送終端部には、排藁チェーン２２が配置され、脱穀後の排藁を排藁処理装置２３へ搬送するようになっている。本実施形態の排藁処理装置２３は、カッター装置で構成されており、排藁を適宜長さに切断して排出口２５から排出する。
【００１１】
選別部３１は、ベース３２と、該ベース３２に立設された側板３３と、該側板３３や脱穀部１１によって囲まれた選別室３５とを備え、該選別室３５内に揺動選別手段４１と風選別手段５１が配置されている。
【００１２】
揺動選別手段４１は、所定の周期で往復揺動する一対の揺動側板４２と、該揺動側板４２の間で受網１８の下方に位置するように、揺動側板４２の上流側に固定された揺動流板４３と、揺動側板４２の間で受網１８の後端部から受網２１の下方に位置するように、揺動側板４２の中流域から下流側にかけて支持され、複数のフィン４５が揺動自在に配置されたチャフシーブ４６と、揺動側板４２の下流側に支持されたストロラック４７と、チャフシーブ４６を漏下した被選別物から穀粒を漏下させるグレンシーブ４８とを備えている。
【００１３】
風選別手段５１は、揺動流板４３の下方に配置された唐箕ファン５２で構成され、その送風口５３には整流板５５が配置されている。唐箕ファン５２から吹き出される選別風は、グレンシーブ４８及びチャフシーブ４６のフィン４５の間を通過して、被選別物に含まれる夾雑物を排除する。
【００１４】
選別室３５には、唐箕ファン５２の他に、選別された穀流を搬送する一番ラセン６１と、ストロラック４７上に落下した被選別物の夾雑物を排除する二番選別ファン６２と、ストロラック４７を漏下した被選別物を揺動流板４３上に還流させる二番ラセン６３とが配置されている。また、選別室３５の後端には、排塵口６５が形成され、排塵ファン６６が配置されている。
【００１５】
選別室３５を構成する側板３３の外側には、風検出装置７１が構成されている。風検出装置７１は、脱穀装置１内の所定箇所における風速、風量及び／又は風圧を検出するためのものであり、たとえば、選別室３５内の風速に基づく風量変化を、所定箇所に配置したノズル７２とパイプ部材７３を介して連通される流量センサ７４で検出するように構成されている。
【００１６】
図３及び図４に示すように、流量センサ７４としては、周囲温度を検出する周囲温度センサと、吸込口７４ａから吐出口７４ｂに至る検出風路中に、吸込口７４ａから吸い込まれた空気の温度を検出する風上側温度センサと、吸込口７４ａから吸込まれた空気が周囲温度より所定温度だけ高くなるように加熱するヒータと、該ヒータの下流側に配置された風下側温度センサとが組込まれた検出チップを内蔵し、風上側温度センサと風下側温度センサで検出した温度差に基づいて風量の検出を行うものを用いることができる。なお、負圧による風量検出の場合は、吸込口７４ａと吐出口７４ｂの関係が逆になるようにパイプ部材７３の接続を行う。
【００１７】
上記のように構成された脱穀装置１おいて、脱穀部１１と選別部３１を作動させ、フィードチェーン１２で搬送される穀稈を供給すると、第１扱胴１６で脱穀されて受網１８を漏下した被選別物は、揺動流板４３上に落下し、該揺動流板４３上で略均等な厚さの層状に均された状態でチャフシーブ４６のフィン４５上に送り込まれる。チャフシーブ４６のフィン４５上に送り込まれた被選別物は、唐箕ファン５２から送風され、グレンシーブ４８を介してチャフシーブ４６のフィン４５の間を通る選別風により、被選別物内の夾雑物が吹き飛ばされて、該フィン４５の間から穀粒がグレンシーブ４８上に落下し、ここから漏下する。このときも、唐箕ファン５２からの選別風により被選別物中の夾雑物が吹き飛ばされて穀粒が一番ラセン６１に集められる。
【００１８】
２番扱胴１７で扱ぎ落とされた被選別物は、四番口２０から受網２１上に落下し、受け網２１を漏下した被選別物は、チャフシーブ４６の下流側に落下する。チャフシーブ４６で選別し切れなかった被選別物は、チャフシーブ４６の後端からストロラック４７上に落下して、二番選別ファン６２からの選別風により被選別物中の夾雑物が吹き飛ばされ、残りの被選別物が２番ラセン６３に集められ、該二番ラセン６３により揺動流板４３又はチャフシーブ４６上に還流される。
【００１９】
唐箕ファン５２及び二番選別ファン６２からの選別風により吹き飛ばされた夾雑物は、排塵ファン６６に吸引され、排塵口６５から排出される。
【００２０】
唐箕ファン５２からの送風は、揺動選別手段４１のチャフシーブ４６上で流動する被選別物の層の厚さでその流速が変化する。たとえば、チャフシーブ４６上の被選別物の量が多くなれば風量が減少し、該チャフシーブ４６上の被選別物の量が少なくなれば風量が増加する。
【００２１】
したがって、唐箕ファン５２の送風口５３に配置された整流板５５の下方にノズル７２を配置すれば、唐箕ファン５２から送風される選別風の風量変化（又は風速変化）を流量センサ７４で検出することができる。そして、唐箕ファン５２からの風量が一定となるように、チャフシーブ４６のフィン４５の開度を自動制御することにより、安定した選別作業を行うことが可能になる。
【００２２】
次に、本発明の要部である風検出装置７１について、図３〜図５を参照して説明する。
【００２３】
前述のように、風検出装置７１は、ノズル７２と、パイプ部材７３と、流量センサ７４とを備えて構成されている。ノズル７２は、選別室３５の側板３３を貫通するように設けられ、一端の吸込口７２ａが選別室３５内の所定箇所（風検出箇所）に配置される。ノズル７２の他端は、側板３３の外面側でパイプ部材７３に接続される。なお、本実施形態では、ノズル７２の他端側を長くし、パイプ部材７３の一部として兼用している。つまり、特許請求の範囲におけるパイプ部材には、ノズルの他端側が含まれる。
【００２４】
流量センサ７４としては、前述した流量検出方式の他、任意の流量検出方式のものを適用することができる。本実施形態の流量センサ７４は、センサ用カバー体７５に覆われた状態で側板３３の外面側に固定されている。
【００２５】
パイプ部材７３は、ノズル７２の他端側と流量センサ７４の吸込口７４ａ（背圧検出の場合は吐出口７４ｂ）とを繋ぎ、脱穀装置１内の所定箇所における風速、風量及び／又は風圧を流量センサ７４に検出させる。パイプ部材７３としては、任意の材料で形成されたものを用いることが可能であるが、ビニールチューブなどの透明な可撓性パイプを用いることが好ましい。このようにすると、パイプ部材７３の配管が容易になるだけでなく、パイプ内部の状態を目視で確認することが可能になる。
【００２６】
パイプ部材７３の中間部には、ノズル７２と流量センサ７４を繋ぐパイプ経路から突出して屑溜まりとなる屑溜まり部７３ａが設けられている。たとえば、ノズル７２と流量センサ７４を繋ぐパイプ経路を中間部で２本のパイプ７３ｂ、７３ｂに分割すると共に、各パイプ７３ｂ、７３ｂを三又継手７３ｃの接続口に接続し、該三又継手７３ｃの余った接続口に、他端開口が蓋部材７３ｄで覆われたパイプ７３ｅを接続して屑溜まり部７３ａとする。このようにすると、ノズル７２と流量センサ７４を繋ぐパイプ部材７３の内部に屑が侵入したとしても、侵入した屑が屑溜まり部７３ａに溜まるので、パイプ部材７３が屑で詰まることを防止し、パイプ部材７３の詰まりによる検出精度の低下を回避できる。
【００２７】
屑溜まり部７３ａを構成するパイプ７３ｅの他端開口は、屑溜まり部７３ａ内に溜った屑を取出すための屑取出口７３ｆとして使用することができる。この場合、パイプ７３ａの他端開口を塞ぐ蓋部材７３ｄは、屑取出口７３ｆを開閉自在に覆うように構成される。たとえば、パイプ７３ｅの他端部に着脱自在に嵌合するキャップ部材で蓋部材７３ｄを構成する。このようにすると、屑溜まり部７３ａに溜った屑を屑取出口７３ｆを介して取出すことができるので、メンテナンスが容易になる。
【００２８】
上記のようにパイプ部材７３の中間部に屑溜まり部７３ａを設ける場合、ノズル７２から屑溜まり部７３ａに至るパイプ経路は、下り傾斜状又は垂下状に配置することが好ましい。このようにすると、ノズル７２から屑溜まり部７３ａに至るパイプ経路内の屑を屑溜まり部７３ａに積極的に導くことができるからである。
【００２９】
また、流量センサ７４から屑溜まり部７３ａに至るパイプ経路も、下り傾斜状又は垂下状に配置することが好ましい。このようにすると、流量センサ７４から屑溜まり部７３ａに至るパイプ経路内の屑を屑溜まり部７３ａに積極的に導くことができるからである。
【００３０】
屑溜まり部７３ａは、ノズル７２と流量センサ７４を繋ぐパイプ経路から下方に突出するように設けられる。たとえば、図３及び図４に示す風検出装置７１の屑溜まり部７３ａは、ノズル７２から屑溜まり部７３ａに至るパイプ経路を直線的に延長して構成されるが、図５に示す風検出装置７１Ｂの屑溜まり部７３ａのように、流量センサ７４から屑溜まり部７３ａに至るパイプ経路を直線的に延長して構成してもよい。なお、図３〜図５において、７６はパイプ部材７３を側板３３に固定するためのバンド部材である。
【００３１】
叙述の如く構成された本実施形態によれば、脱穀装置１内の所定箇所における風速、風量及び／又は風圧を、前記所定箇所に配置したノズル７２とパイプ部材７３を介して連通される流量センサ７４で検出する風検出装置７１を備えた脱穀装置１において、パイプ部材７３の中間部に、ノズル７２と流量センサ７４を繋ぐパイプ経路から突出して屑溜まりとなる屑溜まり部７３ａを設けたので、ノズル７２と流量センサ７４を繋ぐパイプ部材７３の内部に屑が侵入したとしても、侵入した屑が屑溜まり部７３ａに溜まることになり、その結果、パイプ部材７３が屑で詰まることを防止し、パイプ部材７３の詰まりによる検出精度の低下を回避できる。
【００３２】
また、ノズル７２から屑溜まり部７３ａに至るパイプ経路を下り傾斜状又は垂下状に配置したので、ノズル７２から屑溜まり部７３ａに至るパイプ経路内の屑を屑溜まり部７３ａに積極的に導くことができる。
【００３３】
また、流量センサ７４から屑溜まり部７３ａに至るパイプ経路を下り傾斜状又は垂下状に配置したので、流量センサ７４から屑溜まり部７３ａに至るパイプ経路内の屑を屑溜まり部７３ａに積極的に導くことができる。
【００３４】
また、屑溜まり部７３ａに、屑溜まり部７３ａ内に溜った屑を取出すための屑取出口７３ｆを形成すると共に、該屑取出口７３ｆを開閉自在に覆う蓋部材７３ｄを設けたので、屑溜まり部７３ａに溜った屑を屑取出口７３ｆを介して取出すことができる。
【００３５】
なお、本発明は、前記実施形態に限定されないことは勿論であって、たとえば、前記実施形態では、唐箕ファンの下流近傍にノズルを配置しているが、ノズルの配置箇所は任意であり、たとえば排塵室などに設けるようにしてもよい。また、前記実施形態では、流量センサのセンサ値に応じて、チャフシーブのフィン開度を自動制御しているが、センサ値の使用目的は任意であり、他の自動制御やモニタリングに使用してもよい。
【符号の説明】
【００３６】
１      脱穀装置
１１    脱穀部
３１    選別部
４１    揺動選別手段
５１    風選別手段
７１    風検出装置
７２    ノズル
７３    パイプ部材
７３ａ  屑溜まり部
７３ｄ  蓋部材
７３ｆ  屑取出口
７４    流量センサ
【図１】
2012200192.tif 000003
【図２】
2012200192.tif 000004
【図３】
2012200192.tif 000005
【図４】
2012200192.tif 000006
【図５】
2012200192.tif 000007